(57)【要約】【課題】洗髪や洗顔時、水滴や石鹸の泡で、着衣の襟や胸元を濡らすことがあり、首にタオル等をまいて防いでいたが、それらを解決することを課題とする。【解決手段】本発明は、首への装着はとても簡単であり密着度はとても良く、首を絞めつける事無く密着でき水の浸入を防止でき１つで４役こなすウォッシュガードある。【選択図】図４
2009226184.tif 000002
【特許請求の範囲】
【請求項１】
弾性材または合成樹脂材からなる平面で馬蹄形のプレイト二枚重ねからなる、中央より上のところに首装着用の穴を設け、穴の周囲の材質には、ラテックスを接着して取り付けたことを特徴とするウォッシュガード。
【請求項２】
プレイトの一か所に開閉口を備えて両側の面に平ファスナーを貼着して埋め込み開閉構造を設けたことを特徴とするウォッシュガード。
【発明の詳細な説明】
【技術分野】
【０００１】  本発明は、着衣したまま衣類が濡れるのを防止でき汚れも防いで作業ができるグッズ、髪染めやヘーアーカットや洗髪や洗顔ができる１つで４役こなすウォッシュガードある。
【背景技術】
【０００２】  この種の従来の用具として、ビニールによるケープ状の防水ガードがある。また洗髪専用、洗顔専用、毛染め用、髪の毛カット用、用途が別々であり、不経済である。また特許文献１に洗髪用防水具ある。
【特許文献１】特開２００６−２８０８７８
【発明の開示】
【発明が解決しようとする課題】
【０００３】  特許文献１において、首部のサイズを平ファスナーで自由に調整可能と平ファスナーにより首部への密着固定の調節が可能とある、また平ファスナーをきつく締めれば密着固定になるけれど、シャンプーする際は、常時首を絞めつけている状態になり、首部に負担がかかるのではないでしょうか、このため息苦しくなってしまう欠点がある。【０００４】  また、シャンプー時は、前傾姿勢になるために、動作の妨げにもなる、苦しいから、少し緩めると水が首筋から侵入してしまう原因になる。【０００５】  上記は、平ファスナー本体の厚みが０．３ｍｍあるため、開閉口の重なり合う間に０．３ｍｍの隙間ができ、隙間からの水滴は防げない。隙間から水の浸入を防ぐためには、開閉口の平ファスナーをかなりきつく絞めつける事になる。首部を絞めつけることは呼吸困難や身体に悪影響になり、大きなストレスの原因にもなる。好ましい解決手段は、首部への密着性を確保し、装着時の不快感を解消するための本発明である。
【課題を解決するための手段】
【０００６】  本発明は、弾性材または合成樹脂材からなる平面で馬蹄形のプレイト二枚重ねからなる中央より上のところに首装着用の穴を設け、穴の周囲の材質には、ラテックスを接着し取り付けており、プレイトの一か所に開閉口を備えて両側の面に平ファスナーを貼着して埋め込み開閉構造を設けたことを特徴とするウォッシュガードある。【０００７】  上記特許文献１の欠点は、首部に本体を、直接に装着していることが原因になっている。本発明はそれらの原因の解決したものである。本発明は、首部に本体を直接に装着しないようになっている。それは、首部に本体が直接に触れる事のないように首装着用穴の周囲にラテックスを接着して取り付けてある構造で解決する。【０００８】  また首部に触れる装着部分に、ラテックスでワンクッションがあることで、首部を締め付けることがなく密着できる。密着する事で水の浸入も防止できる。本発明は、密着へのストレスを軽減し首周りへの負担をかけないこれを特徴とする。
【発明の効果】
【０００９】  １、急に大切な洋服など着て出かける際に、ヘアーセットや化粧で汚さず済むので便利である
２、体調をくずし入浴ができない時でも手軽にシャンプーでき、濡れないので、着衣を着替えたりする面倒がなくなり便利である。
３、着衣を濡らさないため、衣服の洗濯の量が減り経済的である。
４、家での毛染めの際に、染毛剤が液だれするため、必ず着衣を汚していたが汚れを防いでくれた。
５、朝のシャンプー際、時間の節約になった。
６、家で手軽に髪の毛をカットでき生活費の節約になった。
【発明の実施するための最良の形態】
【００１０】  本発明のウォッシュガードの実施形態について図１〜図７符号（１）〜（５）に基づいて説明する。
【００１１】  図１は、本発明の正面図である。形は平面で馬蹄形の本体部を（１）とする。（１）素材は、弾性材または合成樹脂材で二枚重ね構成にしてある。（１）の中央より上のところに、首装着用穴を設けて穴部を（２）とする。穴部の周囲にラテックスを取り付けたラテックス部を（５）とする。一か所に開閉口を設けて、開閉口部を（３）とする。開閉するための平ファスナーを貼着して埋め込み方式に取り付け構成にして平ファスナー部を（４）とする。（４）は、重なり合う接合面は平らになっている。
【００１２】  図２は、本発明の断面図である。形は平面で馬蹄形の本体部（１）である。（２）はプレイトの中央より上のところに首部に装着用穴を設けてある。（５）は水の浸入を防止するためにラテックスを合成樹脂プレイトの間に挟み、接着剤でサンドイッチに貼り合わせて取り付けた構造である。密着可能な首装着用穴を備えてあることが特徴ある。被装着者の首回りは若千大きさが違うために（５）を取り付けることで、首部を絞めつけずに密着できるので装着時の不快感を解消できる。
【００１３】  図３は、装着時を示す正面図である。（１）を首部に装着する際は、反り上がる状態に装着する。（１）プレイト二枚重ねをすることでしっかり張りができ、反り上がっている状態に装着できる。反り上がることで、水は前面下方向流れ落ちる。肌に触れてもソフトで軽い素材を持ちいり、用途別に上下面を二枚重ねで色を変えてある。
【００１４】  図４は、装着時を示す側面図である。（１）を首部に装着する際は、反り上がっている状態に装着する（１）は反り上がることで水が背中に流れ落ちないようになっている。開閉口部を（３）とする。
【００１５】  図５は、本体部（１）を胸に付けて装着時を示す側面斜視図である。洗顔の際どうしても首から胸周りがよく濡れるから図５のように装着すれば水を防いでくれ着衣の濡れ汚れを防止してくれる。プレイト二枚重ねた上下面の色を変えることで、使用時に色別に用途を変えれば便利に使える。
【００１６】  図６は、平ファスナー取り付け位置を示す斜視図である。被装着者の首部の周囲はそれぞれ若干大きさが違うために調整できるように平ファスナー部（４）を取り付け位置の説明図である。
【００１７】  図７は、本体に平ファスナーの取り付け構造を示す断面図ある。（１）本体はプレイト二枚重ねの構造なっていることで、平ファスナーは本体に埋め込みができる。埋め込んであることで接合面が平らな構造になり開閉口部（３）の隙間なくなり水の浸入が防止できる。
【図面の簡単な説明】
【００１８】
【図１】本発明の正面図である。
【図２】本発明の断面図である。
【図３】本発明の装着時の正面図である。
【図４】本発明の装着時の側面斜視図である。
【図５】本発明の装着時の側面斜視図である。
【図６】本発明の本体に平ファスナーの取り付け位置を示す斜視図
【図７】本発明の本体に平ファスナーの取り付け構造を示す断面図。
【符号の説明】
【００１９】１．  本体部
２．  穴部
３．  開閉口部
４．  平ファスナー部
５．  ラテックス部
【図１】
2009226184.tif 000003
【図２】
2009226184.tif 000004
【図３】
2009226184.tif 000005
【図４】
2009226184.tif 000006
【図５】
2009226184.tif 000007
【図６】
2009226184.tif 000008
【図７】
2009226184.tif 000009